(57)【特許請求の範囲】
【請求項１】
筐体パネルに開口する略矩形のボタン穴と、前記ボタン穴内で上下動可能に支持されるボタン部と、前記筐体パネルの前記ボタン穴に保持固定される固定部と、前記ボタン部を前記固定部に連結支持して前記ボタン部を押下された後に待機位置に復帰させるヒンジ部とを備えた押しボタン装置において、
前記筐体パネルは、前記ボタン穴の一辺から前記ボタン穴内に延長して形成された段差部と、前記段差部から前記段差部上部にまたがる位置決め穴とを有し、
前記固定部は、前記段差部の上面に当接する当接面と、前記筐体パネルの前記ボタン穴の前記一辺に接続する他の二辺に係合する係合部を備える一対のフックと、前記当接面側から突出し前記位置決め穴に差し込む位置決め突起部と、取外し用治具を差し込むための取付部とを有し、
前記段差部は、前記取付部に前記取外し用治具を取り付けて前記固定部の傾斜される方向に降下しており、
前記取外し用治具を前記フック間方向に対して直交する方向に不勢することにより、前記筐体パネルのボタン穴と前記固定部の前記フックとの係合を解除させる程度に前記固定部を傾斜させることを特徴とする押しボタン装置。
【請求項２】
前記筐体パネルの前記位置決め穴は、前記位置決め突起を挿入可能に開口して前記フック間方向に対して直交する方向において縁部を前記位置決め突起部に対面させることにより前記位置決め突起の移動を制限することを特徴とする請求項１に記載の押しボタン装置。
【請求項３】
前記固定部の前記フックは、前記固定部に立設されているフック本体に前記筐体パネルの下面に対面して係合する係合部を形成されており、前記係合部の係合面は、前記取外し用治具による前記固定部の傾斜時に前記筐体パネルの下面に押し付けられる側に向かって徐々に前記フック本体に近接する係合斜辺を有することを特徴とする請求項１または２に記載の押しボタン装置。
【請求項４】
前記筐体パネルに取り付けられて前記ボタン部の周囲を覆う飾りパネルを備えて、
前記ヒンジ部は、前記待機位置を行き過ぎる位置まで前記ボタン部を戻す不勢力を有する一方、前記飾りパネルに衝止されて前記ボタン部を前記待機位置に位置決めする衝止部を設けたことを特徴とする請求項１ないし３のいずれかに記載の押しボタン装置。
【発明の詳細な説明】
【０００１】
【発明の属する技術分野】
本発明は、押しボタン装置に関し、詳しくは、筐体パネルへのボタン部の簡易な着脱を実現したものに関する。
【０００２】
【従来の技術】
従来より、音響機器や映像機器等の制御装置あるいはスイッチ装置などに採用される押しボタン装置が知られており、この押しボタン装置はスイッチをＯＮ／ＯＦＦなどするために一つあるいは二つ以上を配置される。
【０００３】
この種の押しボタン装置としては、例えば、実開昭６２−１２７６２５号公報あるいは実開平１−１４６４３８号公報に記載されているものがあり、図９および図１０に示すように、メーク接点型スイッチＳを固定された基板Ｂに対面するように配置されるものが広く使用されている。
【０００４】
この押しボタン装置は、基板Ｂ上のスイッチＳに対面する位置の筐体パネルＰ１に開口するボタン穴１０１内に、ボタン部１１１を上下方向に揺動可能に取り付けられており、押下されたボタン部１１１の下面に立設する突起１１２がスイッチＳをＯＮ／ＯＦＦするように構築されている。
【０００５】
ボタン部１１１は、ボタン穴１０１の一端側の筐体パネルＰ１に取付固定する固定部１１３にヒンジ部１１４を介して揺動可能に連結支持されており、押下されてスイッチＳをＯＮ／ＯＦＦしたボタン部１１１を、ヒンジ部１１４がそのスイッチＳから離隔する待機位置に復帰させるようになっている。
【０００６】
固定部１１３は、筐体パネルＰ１をボタン穴１０１内に延長した段差部１０２に下面側を当接させるとともに、その段差部１０２の両側の縁に一対のフック１１５を係合させるようになっており、この固定部１１３の下面から立設された位置決め突起１１６を段差部１０２に開口する位置決め穴１０３内に差し込むことにより、位置決め固定するようになっている。
【０００７】
なお、この押しボタン装置は、筐体パネルＰ１の上に飾りパネルＰ２を取り付けてボタン部１１１の周囲や固定部１１３を隠すようにして使用されるのが一般的である。
【０００８】
【発明が解決しようとする課題】
しかしながら、このような従来の押しボタン装置にあっては、複数のボタン部１１１毎に印刷や成型により表示されている数字あるいは記号などの指定位置に一致するように組付け作業を行う必要があるが、筐体パネルＰ１および飾りパネルＰ２を固定した完成後の検査などで組付けミスが発見されたときには、１個のボタン部１１１を交換する場合にも、飾りパネルＰ２だけでなく、筐体パネルＰ１も装置本体から外すなどしてから交換作業を行わなければならない。
【０００９】
また、ボタン部１１１を筐体パネルＰ１から外すにしても、フック１１５のボタン穴１０１の縁部との係合を解除するのは面倒な作業であり、無理に外そうとすると、フック１１５を破損したり、ヒンジ部１１４を損傷してしまうおそれがある。
【００１０】
さらに、ボタン部１１１は、図１１（ａ）に示すように、飾りパネルＰ２上で整列するように配置されるのが一般的であるが、無理な負荷が加わると、高精度に成形した場合でも、図１１（ｂ）、図１１（ｃ）に示すように、飾りパネルＰ２から露出するボタン部１１１が待機位置に戻りきらずに傾斜してしまい外観性能を劣化させてしまうことがある、という問題があった。
【００１１】
本発明は、このような問題を解決するためになされたもので、ボタン部を筐体パネルに容易に着脱することができる押しボタン装置を提供するものである。
【００１２】
【課題を解決するための手段】
本発明の押しボタン装置は、筐体パネルに開口する略矩形のボタン穴と、前記ボタン穴内で上下動可能に支持されるボタン部と、前記筐体パネルの前記ボタン穴に保持固定される固定部と、前記ボタン部を前記固定部に連結支持して前記ボタン部を押下された後に待機位置に復帰させるヒンジ部とを備えた押しボタン装置において、前記筐体パネルは、前記ボタン穴の一辺から前記ボタン穴内に延長して形成された段差部と、前記段差部から前記段差部上部にまたがる位置決め穴とを有し、前記固定部は、前記段差部の上面に当接する当接面と、前記筐体パネルの前記ボタン穴の前記一辺に接続する他の二辺に係合する係合部を備える一対のフックと、前記当接面側から突出し前記位置決め穴に差し込む位置決め突起部と、取外し用治具を差し込むための取付部とを有し、前記段差部は、前記取付部に前記取外し用治具を取り付けて前記固定部の傾斜される方向に降下しており、前記取外し用治具を前記フック間方向に対して直交する方向に不勢することにより、前記筐体パネルのボタン穴と前記固定部の前記フックとの係合を解除させる程度に前記固定部を傾斜させる構成を有している。
【００１３】
この構成により、ボタン穴内にボタン部が位置するように、固定部の位置決め突起をボタン穴の一端側に位置する筐体パネルの位置決め穴内に挿入するとともに、フックをボタン穴の縁部に係合させることにより、容易に筐体パネルに取り付けることができる。その一方で、筐体パネルの位置決め穴は、段差部および段差部上部の双方にまたがるように形成されているので、固定部は、位置決め突起をフック間と直交する方向には回動させて傾斜することができる。このため、この固定部は取外し用治具をボタン部側から、すなわち、筐体パネルＰ１を分解することなく取付部に取り付けて容易に傾斜させることができ、この固定部の傾斜によりフックを撓ませるなどして筐体パネルのボタン穴の縁との係合を解除することができる。したがって、筐体パネルの一面側、例えば、前面側から着脱作業を行うことができ、フックを破損してしまったり、ヒンジ部に無理な負荷をかけてボタン部を待機位置に復帰させる付勢力を変化させて、整列性（外観性能）を劣化させてしまうことがない。
【００１４】
また、本発明の押しボタン装置では、前記筐体パネルの前記位置決め穴は、前記位置決め突起を挿入可能に開口して前記フック間方向に対して直交する方向において縁部を前記位置決め突起部に対面させることにより前記位置決め突起の移動を制限する構成を有することにより、固定部は位置決め穴の縁部に位置決め突起を対面衝止されるとともにフックがボタン穴の縁部と係合することにより筐体パネルの延在方向（平面方向）に位置決め固定される。
【００１５】
本発明の押しボタン装置では、前記固定部の前記フックは、前記固定部に立設されているフック本体に前記筐体パネルの下面に対面して係合する係合部を形成されており、前記係合部の係合面は、前記取外し用治具による固定部の傾斜時に前記筐体パネルの下面に押し付けられる側に向かって徐々に前記フック本体に近接する係合斜辺を有する構成にするのが好ましい。
【００１６】
この構成により、フックは、取外し用治具により固定部を傾斜されたときに、係合面の係合する面積の小さい、筐体パネルの下面に押し付けられる側から係合部が外れる。そして、フック本体から徐々に離隔する係合斜辺がそのボタン穴の縁に沿うように案内されて、フック本体が撓まされ筐体パネルのボタン穴の縁との係合を解除される。したがって、固定部を傾斜させる際に、小さな力でフックの係合部を筐体パネルのボタン穴の縁部から外すことができ、フックの破損やヒンジ部の劣化などをより確実に防止することができる。
【００１７】
さらに、本発明の押しボタン装置では、前記筐体パネルに取り付けられて前記ボタン部の周囲を覆う飾りパネルを備える場合には、前記ヒンジ部は、前記待機位置を行き過ぎる位置まで前記ボタン部を戻す付勢力を有する一方、前記飾りパネルに衝止されて前記ボタン部を前記待機位置に位置決めする衝止部を設けるのが好ましい。
【００１８】
この構成により、固定部の位置決め突起を筐体パネルの位置決め穴内に挿入するとともにフックをボタン穴の縁部に係合させてボタン部を押下可能に筐体パネルに取り付けた状態とした後に、飾りパネルが取り付けられたときに、ヒンジ部により連結支持（付勢）されているボタン部は、飾りパネルに衝止部が衝止された状態で待機位置に位置決めされる。したがって、待機位置がばらついてしまうことがなく、ボタン部は均一に飾りパネルから露出して、整列性を向上させることができる。
【００１９】
【発明の実施の形態】
以下、本発明を図面に基づいて説明する。図１〜図５は本発明に係る押しボタン装置の第１実施形態を示す図である。
【００２０】
図１および図２において、押しボタン装置は、上述した従来技術と同様に、筐体パネルＰ１のボタン穴１１内で上下方向に揺動可能に支持するボタン部２１を基板Ｂ上の接点型スイッチＳに対面させており、ボタン部２１を押下することにより、その下面の突起２２でスイッチＳをＯＮ／ＯＦＦすることができる。なお、この押しボタン装置は、ボタン部２１に対応する文字等の表示を施した飾りパネルＰ２を筐体パネルＰ１の上に取り付けて、そのボタン部２１の周囲や後述する固定部２３を覆うようになっており、そのボタン部２１の周囲には、ボタン部２１と飾りパネルＰ２との隙間を埋める（隠す）ように梁出し部２９が形成されている。
【００２１】
ボタン部２１は、ボタン穴１１の一端側の筐体パネルＰ１に取付固定する固定部２３に、スイッチＳから離隔して待機位置に復帰する方向に付勢するＵ字形状のヒンジ部２４を介して揺動可能に連結支持されており、これらボタン部２１、固定部２３およびヒンジ部２４は、ヒンジ部２４に復元弾性力を発現させる樹脂材料により一体成形されている。
【００２２】
固定部２３は、筐体パネルＰ１をボタン穴１１内に延長して形成した段差部１２の上面に下面（当接面）を当接させるとともに、その段差部１２の両側のボタン穴１１の縁部下面（筐体パネルＰ１の下面）に一対のフック２５の係合部３１の係合面３２を対面させて係合させることにより、筐体パネルＰ１を挟持して取り付け固定するようになっている。
【００２３】
この固定部２３は、筐体パネルＰ１に形成される位置決め穴１３内に差し込む位置決め突起２６をフック２５の間の下面に立設されており、この位置決め突起２６のボタン部２１側の近傍には、図３に示すように、棒状の取外し用治具４０を挿し込む取外し用穴（取付部）３５が形成されている。これに対して、筐体パネルＰ１の位置決め穴１３は、段差部１２から段差部１２上部にまたがるように開口される一方、固定部２３の位置決め突起２６もこの位置決め穴１３の水平方向の開口間隔に対応する厚さに形成されている。
【００２４】
したがって、固定部２３は、フック２５が互いに対向する方向のボタン穴１１の縁部に対面して移動することが衝止（制限）されるとともに、フック２５間に対して直交する方向には位置決め突起２６が位置決め穴１３の縁部に対面して移動することが衝止されることにより、筐体パネルＰ１の水平面内方向に位置決め固定される。
【００２５】
また、この固定部２３の位置決め突起２６は、フック２５間に対する直交方向には上下に段差のある位置決め穴１３の縁部に対面しているので、それぞれの縁部から離隔する方向には移動すること、すなわち、図２中反時計回りに回動することができ、固定部２３は傾斜することができる。このため、固定部２３を傾斜させることにより、係合部３１の係合面３２を筐体パネルＰ１のボタン穴１１の縁部の下面にボタン部２１から離隔する側より押し付けて、その係合部３１が係合を解除する方向に撓ませる力をフック２５に作用させることができる。この固定部２３の傾斜は、図４に示すように、筐体パネルＰ１を装置本体から取り外すなどの分解作業を行うことなく、取外し用穴３５に取外し用治具４０を挿し込んで位置決め突起２６に先端を押し付けて回動させる方向に付勢するだけで容易に傾斜させることができる。
【００２６】
そして、固定部２３のフック２５は、係合部３１のボタン部２１から離隔する側に切欠部３３を形成されており、係合部３１は、この切欠部３３を形成することにより、係合面３２の縁にボタン部２１から離隔する側に向かって固定部２３側の基部（フック本体）に近接する斜辺（係合斜辺）３４が形成されている。
【００２７】
したがって、ボタン部２１と飾りパネルＰ２の表示が異なっている場合などに、そのボタン部２１を交換するときには、取外し用穴３５に取外し用治具４０を挿し込んで位置決め突起２６に先端を押し付ける方向に倒す（付勢する）だけで、固定部２３を傾斜させて引き上げる係合部３１の係合面３２の端から筐体パネルＰ１のボタン穴１１の縁部の下面に押し付けることができる。このとき、図５（ｂ）に示す従来技術のように、係合部３１が逃げることができずに無理な力が掛かってしまうことなく、図５（ａ）に示すように、係合部３１の係合面３２の斜辺３４を、ボタン部２１の反対側からボタン穴１１の縁部に案内させつつ滑らせることができ、係合部３１の係合面３２をボタン穴１１の縁部の下面から離脱する方向に逃がすようにフック２５を小さな力で撓ませて係合を解除することができる。
【００２８】
このように本実施形態においては、飾りパネルＰ２を外して、取外し用治具４０を取外し用穴３５に挿し込んで倒すだけで、筐体パネルＰ１を外すことなく、固定部２３を傾斜させてフック２５を無理なく撓ませることができ、筐体パネルＰ１のボタン穴１１の縁部とのフック２５の係合をスムーズに解除することができる。したがって、過大な力を加えてしまってフック２５やヒンジ部２４を破損してしまうことなく、筐体パネルＰ１の前面側から着脱作業を短時間に行うことができ、ボタン部２１を整列する場合でもその外観性能を劣化させてしまうことがない。
【００２９】
次に、図６および図７は本発明に係る押しボタン装置の第２実施形態を示す図である。なお、本実施形態は、上述実施形態と略同様に構成されているので、同様な構成には同一の符号を付して特徴部分を説明する。
【００３０】
図６において、押しボタン装置は、ボタン部２１の周囲に形成された梁出し部２９の固定部２３から最も離隔する位置に、ボタン部２１側に突出する衝止突起３６が形成されており、この衝止突起３６は、飾りパネルＰ２に当接するようにヒンジ部２４に付勢されている梁出し部２９の上に突出しているので、ヒンジ部２４による付勢が緩和する前に飾りパネルＰ２に衝止されることになる。
【００３１】
このため、図７に示すように、ボタン部２１は、その衝止突起３６が飾りパネルＰ２に衝止される位置に位置決めされて、その位置が押下されるのを待機する待機位置となり、ヒンジ部２４は、その待機位置を行き過ぎる位置までボタン部２１を付勢するように設定される。
【００３２】
したがって、ヒンジ部２４は、ボタン部２１を付勢する付勢力が着脱作業や成形精度などにより多少ばらついたとしても、その影響が衝止突起３６の高さｈ以下であれば、そのばらつきを吸収して飾りパネルＰ２に突き当てて衝止させることができ、待機位置に確実に位置決めすることができる。
【００３３】
このように本実施形態においては、上述実施形態による作用効果に加えて、ボタン部２１は、筐体パネルＰ１に着脱するなどしてヒンジ部２４の付勢力が多少ばらついたとしても、飾りパネルＰ２から安定して露出させて待機させることができ、複数のボタン部２１を均一の高さで飾りパネルＰ２から露出させた状態に整列させることができる。したがって、整列するボタン部２１の外観性能の信頼性をより向上させることができる。
【００３４】
また、本実施形態の他の態様としては、図８に示すように、ボタン部２１の上面２１ａを、梁出し部２９に衝止突起３６を形成することにより傾斜する角度α分だけ削って飾りパネルＰ２に対して水平にしてもよく、より綺麗に仕上げることもできる。
【００３５】
【発明の効果】
以上説明したように、本発明は、固定部の位置決め突起を筐体パネルの位置決め穴内に挿入するとともにフックをボタン穴の縁部に係合させるだけで、固定部がヒンジ部を介して連結支持するボタン部を筐体パネルのボタン穴内で上下動可能に容易に取り付けることができ、筐体パネルから取り外す際には、取外し用治具を取り付けて固定部を傾斜させるだけで、筐体パネルのボタン穴の縁部とのフックの係合を解除することができる。
【００３６】
したがって、筐体パネルを分解することなく、その前面側から着脱することができ、フックを破損してしまったり、ヒンジ部を損傷させ外観性能を劣化させてしまうことがない、という優れた効果を有する押しボタン装置を提供することができる。
【図面の簡単な説明】
【図１】本発明に係る押しボタン装置の第１実施形態の概略全体構成を示す分解斜視図
【図２】その組立構造を示す一部断面側面図
【図３】その取外しを説明する一部断面側面図
【図４】その図３に続く要部の側面図
【図５】その要部における作用を説明する一部拡大斜視図
【図６】本発明に係る押しボタン装置の第２実施形態の概略全体構成を示す分解斜視図
【図７】その組立構造を示す側面図
【図８】その他の態様を示す側面図
【図９】その従来技術を示す一部断面側面図
【図１０】その分解斜視図
【図１１】その課題を説明する側面図
【符号の説明】
１１ ボタン穴
１２ 段差部
１３ 位置決め穴
２１ ボタン部
２１ａ 上面
２３ 固定部
２４ ヒンジ部
２５ フック
２６ 位置決め突起
３１ 係合部
３２ 係合面
３３ 切欠部
３４ 斜辺
３５ 取外し用穴
３６ 衝止突起
４０ 取外し用治具
Ｐ１ 筐体パネル
Ｐ２ 飾りパネル
【図１】
0004504542.tif 000002
【図２】
0004504542.tif 000003
【図３】
0004504542.tif 000004
【図４】
0004504542.tif 000005
【図５】
0004504542.tif 000006
【図６】
0004504542.tif 000007
【図７】
0004504542.tif 000008
【図８】
0004504542.tif 000009
【図９】
0004504542.tif 000010
【図１０】
0004504542.tif 000011
【図１１】
0004504542.tif 000012